(57)【要約】  本発明は、両駆動一体発電設備に関するものである。一つの支えスタンド（１０）を備え、該支えスタンド（１０）の上にハウジング（ａ）を付ける。ハウジングに一台の発電機（１）、一つ制御システム、一つ方向調整システム、一つ方向調整モーター（６）と一つ保護システム（５）を付ける。発電機（１）の両端に、それぞれ伝動装置（ｃ，ｃ′，４，４′）、液圧制御ブレーキ装置（２，２′）、変速装置（３，３′）と回転装置（７，７′）を組み立てる。これらは連続部品によって電気部品と決めた順番に組み立てられる。
2009516120.tif 000002
【特許請求の範囲】
【請求項１】
一つの両駆動一体発電設備は、支えスタンドの上にハウジングを取り付け、ハウジングに発電機、方向調整システム、保護装置、両液圧ブレーキ装置、変速装置、伝動装置、駆動装置、制御システム装置などを、要求に基づいて組み立てし、相関の部品、連続部品、それぞれ組み立てることであり、
特徴は、ハウジングの上に相関装置、部品、ヨークなどで二セット可回転装置を持っている両駆動回転発電機を構成され、保護システム、方向調整システム装置、制御システム装置、発電機両端に能動装置、変速装置、液圧、制御、ブレーキシステム装置、駆動装置及び他の部品、電気部品など、これらの装置を連続部品でそれぞれの順序で組み立てることである。
【請求項２】
請求項１で記述した両駆動一体発電設備の特徴は駆動ロール７、駆動ロール７′、シュラウド８、シュラウド８′、伝動装置４、伝動装置４′、発電機１、ブレーキ装置の中心が同じである。
【請求項３】
請求項１において、両駆動一体発電設備の特徴は発電機１の両端に伝動機構装置４、伝動機構装置４′、変速装置３、変速装置３′、液圧ブレーキ、制御システム装置２、液圧ブレーキ、制御システム装置２′、回転ロール７、回転ロール７′、シュラウド８、シュラウド８′などが取り付けられていることである。
【請求項４】
請求項１において、両駆動一体発電設備の特徴は発電機両端に相関システム装置連続部品と回転ロール７、回転ロール７′、シュラウド８、シュラウド８′を両駆動一体発電機の両終端に取り付けてあることである。
【請求項５】
請求項１において、両駆動一体発電設備の特徴は両駆動一体発電設備に二つ駆動回転ロール、回転ロール７、回転ロール７′、回転ロール７と回転ロール７′の製作後の角度が反対である。
【請求項６】
請求項１において、両駆動一体発電設備の特徴は一つの発電機の上に二つの可回転の軸、軸１-１２、軸１-４′を取り付けている。
【請求項７】
請求項１において、両駆動一体発電設備の特徴は一つの発電機の上に二つの可回転の軸（軸１-１２、軸１-４′）を発電機の両端に取り付け、当該二つの軸が外に出ており、発電機と同じ軸心である。
【請求項８】
請求項１において、両駆動一体発電設備の特徴は発電機巻き線１−６、鉄心ヨーク１−３、鉄心１−５、エンドカバー軸１−４、エンドカバー軸１−４′、ヨーク１−１、内軸１−８、ヨークエンドカバー１−２、ヨークエンドカバー１−２′軸受けなどが同一中心で一つの巻き線を持っている回転装置になっていることである。
【請求項９】
請求項１において、両駆動一体発電設備の特徴は駆動軸１−１２で組み立てた回転装置とエンドカバー軸１−４′で組み立てた回転装置の両方は同じ巻き線、ヨークを使用していることである。
【請求項１０】
請求項１において、両駆動一体発電設備の特徴はエンドカバー軸１−４′が外に伸びた一段が軸で、また発電機エンドカバーと発電機を組み立て、それに軸と伝動装置順序で組み立てられる。
【発明の詳細な説明】
【発明の詳細な説明】
【０００１】
〔技術分野〕
本発明は、発電設備に関し、二つの駆動装置の回転で一つの相対回転（運動）を発生させる両駆動一体発電設備に関する。
【０００２】
〔背景技術〕
電力は資源で転換したものであり、有形なエネルギーをどんどん開発することに伴ってだんだん無くなることである。人間の生活は資源を離れないので、再生可能資源の利用は有形資源を節約して、持続発展を実現するには唯一の道である。こうすれば、有形な資源が合理的な開発できて、再生清潔資源の風能を利用して、環境汚染を減らし、生態平衡を保護することなどができる。人類の生存環境に対して各国政府も大切に関心を持っている。今、世界各国で使っている発電機はほとんどステータ、ロータ、エンドカバー、ヨーク、軸などで連続部品、締め付け部品で構成されている。外部からの動力は相関の部品を通じて動能をロータに伝えて回転させて発電する。発電機の輸入効率と功の大きさは発電機の回転スピードと能の転換効率で決められる。能転換する時に摩擦力の存在で、潜在の能が発揮できない場合がある。
【０００３】
〔発明の開示〕
〔発明が解決しようとする課題〕
発電機のエネルギー利用率を向上して、潜在的な能が発揮できないことを克服するために、それにもっと大量の動力を輸出できるように、本発明は両駆動一体発電設備を提供する。当該両駆動一体発電設備は充分、科学的、巧みに機械と電の原理を利用して、更に有効に動能を電力に転換して、使用者にもっと大量な電力を提供し、エネルギーの消耗も減少する。
【０００４】
〔課題を解決するための手段〕
本発明において、技術問題を解決するために採用した技術案は、支えスタンドにハウジングを取り付けて、ハウジングの上に発電機、方向調整システム装置、方向調整モータ、保護システム装置、制御システム装置、液圧制御装置、伝動装置、回転装置などを取り付けることである。発電機の両端に、伝動装置変速装置、制御ブレーキシステム装置と駆動ロール組み立て用軸を組みつける。これらのシステム装置、機構、部品をそれぞれの連続部品によって順番的にハウジングに取り付けて、ヨークでカバーする。ヨークの外の両端の軸は反対方向に伸びてある。軸の上にホイール、駆動ロール、シュラウドをとりつける。発電機のヨークの内外に二セット回転可能な装置を付ける。外にヨークに巻き線鉄芯を付ける。鉄芯内縁に若干のスリットがあって、スリット内に巻き線を付ける。巻き線は順番的に導電体と連続し、輸出と繋がっている。鉄芯を付けているヨークの両端にエンドカバーを付けており、エンドカバー（右面）の中心には一つの穴がある。外に伸びた中段部分に段差があって、段差の上に絶縁物で製作した枠を付ける。枠に導電物を付けて、巻き線と連続する。導電物の外縁に沿って別の導電物を付ける。この導電物とケーブルとを連続して電力を伝動輸出する。突起の一段に軸受台が付けており、軸受台に軸受を付ける。軸受と発電機のヨークエンドカバーとが締め付けており、エンドカバーとヨークとをＥリングで締め付ける。エンドカバー（左面）の内面に軸受箱がつけており、軸受箱内に軸受を付ける。エンドカバーと鉄芯ヨークとをＥリングで締め付ける。鉄芯ヨークの別端（左面）に、同じように一個のエンドカバーを付ける。エンドカバー内（左面）に同様な軸受箱をつけて、軸受け箱に軸受けを付ける。エンドカバーの外面（右面）に延びている突起の中段に軸受台を付けて、軸受台の上に軸受を付ける。軸受と発電機ヨーク（左面）のエンドカバーをＥリングで締め付ける。巻き線を持っている回転装置を構成する。エンドカバー（左面）の外面軸受台の伸びた部分は回転装置の軸になっている。鉄芯の中に磁力伝導のロータをつけて、ロータの中心に一本のシャフトを付ける。シャフトの両端の不同の部位に軸受が取り付けており、両軸受はそれぞれ鉄芯とエンドカバーの軸受ともう一つの回転装置を構成する。
【０００５】
両回転装置は両駆動一体発電機を構成する。ロータシャフトの（左面）左段は、鉄芯エンドカバー（左面）の中心穴と外ヨークエンドカバーの中心穴から貫いている。内ロータ軸、鉄芯エンドカバー軸の先端に伝動機構装置と回転装置とを付けるが、それに全部発電機の両軸と同心である。両伝動装置に変速装置を付けて、変速装置の一端にブレーキ装置、伝動装置、ホイール、回転ロール、シュラウドなどを順番的に連続固定して、両駆動一体発電設備を構成する。ブレーキ盤、発電機、ホイール、回転ロール、シュラウド、回転機構は全部同心である。動力で駆動ロールを回転させると、回転ロールは伝動機構装置、変速装置、回転システム機構を通って動能を発電機の軸に伝動する。駆動ロール製作後の角度は反対なので、一つの方向からの動力で両駆動ロールの回転の方向は逆である。両駆動ロールは各相関システム、機構装置を利用して、動能を発電機の二つの軸に伝える能力を一つの方向動力にして、両駆動一体発電機の両回転装置中のロータと巻き線の回転装置（ロール）をそれぞれ不同な方向で相対に回転させる。発電機は相対に回転して、磁力線をカットするスピードを向上して、輸出の効率をアップして、省エネの目的を達成する。
【０００６】
本発明は、エネルギーの種類、規格、機種用途を関わらず、不同のエネルギー、用途、要求によって本発明の原理を使って各種エネルギー適用、不同機種、不同用途、不同規格の両駆動一体発電設備（及び他の両方向回転装置設備）を提供する。
【０００７】
〔発明の効果〕
本発明の両駆動一体発電設備は、一種類のエネルギー、一方向の動力を簡単に発電機の潜在の能力を発揮でき、輸出効率を向上することができる。
【０００８】
〔発明を実施するための最良の形態〕
図面１、２に示すように、両駆動一体発電設備の支えスタンド１０の上にハウジングａを取り付ける。ハウジングａの外にヨーク９を付ける。ハウジングａの上に発電機１、制御システム装置、保護システム装置５、方向調整システム装置、方向調整モーター６を取り付ける。発電機１の両端の軸は、伝動装置ｃと伝動装置ｃ′と締め付け部品で連続している。伝動装置ｃ、伝動装置ｃ′は、変速装置３、変速装置３′と連続して組み立てている。回転ユニットの上に液圧、制御、歯止め、ブレーキシステム装置２、２′を付ける。右変速装置３、変速装置３′の外側はそれぞれ伝動装置４、伝動装置４′連続装置、部品ｂ、ｂ′を通して回転ロール７、回転ロール７′と組み立てている。回転ロール７、回転ロール７′の中間位置にシュラウド８、シュラウド８′を取り付けて、これで両駆動一体発電設備を構成する。
【０００９】
図面１に示した実施例の構造を、図２、図３、図４、図５、図６、図７、図８を参考しながら説明する。発電機ヨーク１−１内に鉄芯ヨーク１−３を取り付ける。鉄芯ヨーク１-３内に巻き線が付いてある鉄芯１−５を付ける。鉄芯１−５の内縁に数多くのスリット１-７を分布する。スリット１−７の中に巻き線を付けた１−６コイルを組み立てる。鉄芯ヨーク１−３の両端に、締め付け部品１−１９、１−１９′によってエンドカバー１−４、エンドカバー軸１−４′を取り付ける。エンドカバー１−４、エンドカバー１−４′の中間部分に軸受ボックス１−１６′を付けており、軸受ボックスの中に軸受１−１７、１−１７′を取り付ける。エンドカバー１−４（右端）の外に伸びている一段の上には段差があり、段差に絶縁枠１−９を付け、枠１−９の外縁に導電部品１−１１を付ける。巻き線１−６の輸出端１−１４はエンドカバー１−４の導電輸出穴１−１３を通して不同の導電物１−１１と連続しており、不同位相の導電物１−１１の外側に不同導電物１−１０を連続する。導電物はそれぞれ導線と繋がって、発電機からの不同位相の電を指定された部位に輸出する。エンドカバー１−４の外側に一つの軸受台を設置しており、軸受台の上に軸受１−１６を付ける。軸受１−１６の外側にエンドカバー１−２を組み立てており、エンドカバー１−２は締め付け部品によってヨーク１−１に付けて固定される。エンドカバー軸１−４中心には穴１−２０がある。鉄芯ヨーク１−３の一端（左端）にエンドカバー軸１−４′を付けており、エンドカバー１−４′の外側中段に一つの軸受台を設置する。軸受台の上に軸受１−１６′を付けており、軸受台の外側の一段に軸と伝動装置を付ける。軸受１−１６′は外側エンドカバー１−２′に組みつけられて、締め付け部品でヨーク１−１と組みつけられている。これは一つの回転装置になる。鉄芯１−５の中にロータ１−８を付けており、ロータ１−８は磁力性物で構成され、ロータの真ん中に一本のロータ軸１−１２を付ける。ロータ軸１−１２の両端に軸受台を設置しており、軸受台に軸受１−１７を付ける。軸受１−１７の外側は、エンドカバー軸１−４と組みつけられている。締め付け部品１−１９によって鉄芯ヨーク１−３と組み立ててある、軸１−１２の左端はエンドカバー１−４、ヨークエンドカバー１−２の中間穴から貫いて、伝動装置４と組みつけてある。ロータ軸１−１２の別の一端に軸受をつけて、それにエンドカバー軸１−４′と組み付けてある。締め付け部品によってロータ軸１−１２は鉄芯ヨーク１−３の右端と組み立てて一つの回転装置になる。二つの回転装置と相関システム機構装置で一つの両駆動一体発電機を構成する。
【図面の簡単な説明】
【００１０】
【図１】両駆動一体発電設備のアセンブリ図である。
【図２】両駆動一体発電設備の組み立てた後の局部の断面概略図である。
【図３】両駆動一体発電設備中の発電機の縦方向の局部を示す断面概略図である。
【図４】（ａ）は両駆動一体発電設備中の部品エンドカバー１−４′のエンドカバー縦方向の局部を示す断面概略図であり、（ｂ）はエンドカバー１−４′の端面概略図である。
【図５】（ａ）は両駆動一体発電設備の部品である鉄芯ヨーク１−３、鉄芯１−５、巻き線１−６の組み立てた後の縦方向の局部を示す断面概略図であり、（ｂ）は鉄芯ヨーク１−３、鉄芯１−５、巻き線１−６の組み立てた後の断面概略図である。
【図６】（ａ）は両駆動一体発電設備のエンドカバー１−４の端面概略図であり、（ｂ）はエンドカバー１−４の縦方向の局部を示す概略図である。
【図７】両駆動一体発電設備内のロータ１−１２の縦方向の局部を示す概略図である。
【図８】両駆動一体発電設備の発電機ヨーク１−３の縦方向の局部を示す概略図である。
【００１１】
〔符号の説明〕
ａ                  ハウジング
ｂ、ｂ′、ｃ、ｃ′  連続装置
１                  発電機
２、２′            制御装置
３、３′            変速装置
４、４′            伝動装置
５                  保護システム装置
６                  方向調整装置
７、７′            回転駆動ロール
８、８′            シュラウド      
９、９′            ヨーク      
１０                支えスタンド
１−１              発電機ヨーク
１−２、１−２′    ヨークエンドカバー    
１−３、            鉄芯ヨーク
１−４、１−４′    鉄芯ヨークエンドカバー軸
１−５              巻き線鉄芯
１−６              巻き線
１−７              鉄芯電線スリット
１−８              内ロータ
１−９              導電装置絶縁枠
１−１０、１−１１  導電輸出部品
１−１２            内ロータ軸
１−１３、１−２０  穴
１−１４、１−１５  導線
１−１６、１−１６′、１−１７、１−１７′  軸受
１−１８、１−１８′、１−１９、１−１９′  締め付け部品
【図１】
2009516120.tif 000003
【図２】
2009516120.tif 000004
【図３】
2009516120.tif 000005
【図４ａ】
2009516120.tif 000006
【図４ｂ】
2009516120.tif 000007
【図５ａ】
2009516120.tif 000008
【図５ｂ】
2009516120.tif 000009
【図６ａ】
2009516120.tif 000010
【図６ｂ】
2009516120.tif 000011
【図７】
2009516120.tif 000012
【図８】
2009516120.tif 000013
【国際調査報告】
2009516120.tif 000014
2009516120.tif 000015
2009516120.tif 000016
2009516120.tif 000017